(57)【要約】【課題】  本発明の課題は、醗酵タンクに備えてあるサンプリングポンプのメカニカルシールを傷を付けずに簡単に取り付けることができるメカニカルシールの取付治具及び取付方法を提供することである。【解決手段】  本発明のメカニカルシールの固定治具２１は、ポンプ１のケーシング３とシャフト７との間をシールするメカニカルシール１３をばね１５の付勢力に抗して取り付けるものであり、治具本体２３と、治具本体２３をケーシング３の蓋固定用ねじ孔２７に固定するボルト２５と、メカニカルシール１３を押し込む押圧部材２９とを備え、治具本体２３には押圧部材２９が挿入されて押圧部材２９の移動を案内するガイド部３１を設けている。【選択図】      図１
2005256929.tif 000002
【特許請求の範囲】
【請求項１】
ポンプのケーシングとシャフトとの間をシールするメカニカルシールをばねの付勢力に抗して取り付ける固定治具であって、固定治具は治具本体と、治具本体をケーシングの蓋固定用ねじ孔に固定するボルトと、メカニカルシールを押し込む押圧部材とを備え、治具本体には押圧部材が挿入されて押圧部材の移動を案内するガイド部が設けられており、メカニカルシールを取り付けるときは、治具本体をケーシングの蓋固定用ねじ孔にボルト固定するとともに、ガイド部に押圧部材を挿入して、ばねの付勢力に抗してメカニカルシールを押圧し、押圧された位置において係止部材でメカニカルシールをシャフトに係止することを特徴とするメカニカルシールの固定治具。
【請求項２】
押圧部材はボルトであり、ガイド部はボルトが螺合するねじ穴であることを特徴とする請求項１に記載のメカニカルシールの固定治具。
【請求項３】
請求項１又は２に記載の固定治具を用いたメカニカルシールの固定方法であって、メカニカルシールを取り付けるときは、治具本体をケーシングの蓋固定用ねじ孔にボルト固定するとともに、ガイド部に押圧部材を挿入して、ばねの付勢力に抗してメカニカルシールを押圧し、押圧された位置において係止部材でメカニカルシールをシャフトに係止することを特徴とするメカニカルシールの固定方法。
【発明の詳細な説明】
【技術分野】
【０００１】
本発明はメカニカルシールの固定治具及び固定方法に関する。
【背景技術】
【０００２】
特許文献１には、ばねの付勢力に抗してメカニカルシールを取り付ける技術が開示されている。係る従来技術では、キャップとともにメカニカルシールを押込んで、キャップを側面から固定するものである。
【０００３】
【特許文献１】特開２０００−５０１９５７号公報
【発明の開示】
【発明が解決しようとする課題】
【０００４】
しかし、上記の特許文献１に記載の従来技術では、小型のポンプ等に適用されるものであり、ばねの付勢力に抗してキャップを手で簡単に押込むことができるものである。
【０００５】
一方、ビールの製造工程における醗酵タンクに備えてあるサンプリングポンプは大型であり、ばねの付勢力も大きく、メカニカルシールを簡単に押しこむことができず、従来はドライバ等で押し込んでいたので、押し込み力が偏り、芯ずれが生じたり、メカニカルシールを傷つけてしまうという問題がある。
【０００６】
本発明は、醗酵タンクに備えてあるサンプリングポンプのメカニカルシールを傷を付けずに簡単に取り付けることができるメカニカルシールの取付治具及び取付方法を提供することを目的とする。
【課題を解決するための手段】
【０００７】
前記課題を解決するために、請求項１に記載された発明は、ポンプのケーシングとシャフトとの間をシールするメカニカルシールをばねの付勢力に抗して取り付ける固定治具であって、固定治具は治具本体と、治具本体をケーシングの蓋固定用ねじ孔に固定するボルトと、メカニカルシールを押し込む押圧部材とを備え、治具本体には押圧部材が挿入されて押圧部材の移動を案内するガイド部が設けられており、メカニカルシールを取り付けるときは、治具本体をケーシングの蓋固定用ねじ孔にボルト固定するとともに、ガイド部に押圧部材を挿入して、ばねの付勢力に抗してメカニカルシールを押圧し、押圧された位置において係止部材でメカニカルシールをシャフトに係止することを特徴とする。
【０００８】
請求項２に記載された発明は、請求項１に記載の発明において、押圧部材はボルトであり、ガイド部はボルトが螺合するねじ穴であることを特徴とする。
【０００９】
請求項３に記載された発明は、請求項１又は２に記載の固定治具を用いたメカニカルシールの固定方法であって、メカニカルシールを取り付けるときは、治具本体をケーシングの蓋固定用ねじ孔にボルト固定するとともに、ガイド部に押圧部材を挿入して、ばねの付勢力に抗してメカニカルシールを押圧し、押圧された位置において係止部材でメカニカルシールをシャフトに係止することを特徴とする。
【発明の効果】
【００１０】
請求項１に記載の発明によれば、メカニカルシールを取り付けるときは、治具本体をケーシングの蓋固定用ねじ孔にボルト固定するとともに、ガイド部に押圧部材を挿入して、ばねの付勢力に抗してメカニカルシールを押圧し、押圧された位置において係止部材でメカニカルシールをシャフトに係止する。
【００１１】
このように、ケーシングの蓋固定用ねじ孔を利用して治具本体を固定しているので、簡単に取り付けでき且つ構成が簡易である。
【００１２】
また、ガイド部の孔に沿って押圧部材を挿入するので、メカニカルシールを押圧する力に偏りが生じ難く、メカニカルシールの損傷を防ぐことができる。
【００１３】
請求項２に記載された発明によれば、請求項１に記載された発明と同様の効果が得られるとともに、ねじ穴にボルトを螺合させることで、ばねの付勢力に抗してメカニカルシールを押圧することができるので、メカニカルシールを簡単に取り付けることができる。
【００１４】
請求項３に記載された発明によれば、請求項１又は２に記載された発明と同様に、治具本体に挿入した押圧部材でメカニカルシールを押圧することができるので、ばねの付勢力に抗して、メカニカルシールを簡単に取り付けることができる。
【発明を実施するための最良の形態】
【００１５】
以下に、添付図面を参照して、本発明の実施の形態を詳細に説明する。図１は固定治具を用いたメカニカルシールの固定方法を示す斜視図、図２は図１に示すメカニカルシールの固定方法であって、メカニカルシールをねじで押し込んでいる状態を示す横断面図、図３は図１に示すメカニカルシールの固定方法であって、メカニカルシールを係止部材で固定した状態を示す横断面図、図４は図５に示すポンプの正面図、図５は本実施の形態に係るポンプの全体を示す縦断面図である。
【００１６】
本発明の実施の形態に係るサンプリングポンプ（ポンプ）１は、ビールの製造工程において醗酵タンク下に配置されて、醗酵タンク内のビールを貯留タンクへ搬送するものである。サンプリングポンプ１はケーシング３と、ケーシング３の開口側に固定される蓋カバー５と、モータ６の駆動軸に接続されたシャフト７と、シャフト７の先端に取り付けられた羽根車９とを備えている。また、ケーシング３にはシャフト７を囲むように円筒部１１が形成されており、円筒部１１とシャフト７との間に設けられたメカニカルシール１３により、円筒部１１とシャフト７との間をシールし、ケーシング３内の液体が外部に漏れないようになっている。
【００１７】
メカニカルシール１３は、リング状の部材であり、内周側がセラミック製であり、外周側がＳＵＳ製である。また、メカニカルシール１３のモータ側のシャフト７には、ばね１５が巻きつけられており、ばね１５の付勢力に抗して押圧された位置で、シャフト７に形成した溝１９にストッパ（係止部材）１７を嵌合することで、メカニカルシール１３の軸方向の動きを規制している。
【００１８】
次に、上述したメカニカルシール１３を交換等する場合に使用する固定治具２１について説明する。固定治具２１は板状の治具本体２３と、治具本体２３をケーシング３に固定する固定ボルト（ボルト）２５と、メカニカルシール１３を押し込む押圧ボルト（押圧部材）２９とを備え、治具本体２３には押圧ボルト２９が挿入されて押圧ボルト２９の移動を案内するねじ穴（ガイド部）３１と、蓋固定用のねじ挿通孔２７とを備えている。尚、固定治具２１は蓋カバー５の裏側に取り付けられるフランジである。
【００１９】
次に、本実施の形態に係る作用を説明する。メカニカルシール１３をサンプリングポンプ１から取り外すときには、蓋カバー５とをケーシング３とを固定してある固定ボルト２５を取り外し、蓋カバー５を開ける。その後、シャフト７から羽根車９を取り外し、シャフト７の溝１９に嵌合されているストッパ１７を取り外し、メカニカルシール１３を取り外す。
【００２０】
一方、メカニカルシール１３を取り付けるときには、シャフト７にメカニカルシール１３を差し込み、その後、治具本体２３をケーシング３の蓋固定用ねじ孔３３にボルト固定する。次に治具本体２１のねじ穴３１に２つの押圧ボルト２９を挿入し、押圧ボルト２９を交互に回しながら、ばね１５の付勢力に抗してメカニカルシール１３をモータ側に押し込んでいく。そして、押圧された位置において、ストッパ１７を溝１９に嵌め込んでメカニカルシール１３をシャフト７に係止する。メカニカルシール１３をシャフト７に係止した後、固定治具２１を取外し、シャフト７に羽根車９を取り付け、その後、固定治具２１とともに蓋カバー９を取り付けることで交換作業は終了する。
【００２１】
このように、ケーシング３の蓋固定用ねじ孔３３を利用して治具本体２３を固定しているので、構成が簡易である。
【００２２】
また、メカニカルシール１３を押圧する力に偏りが生じ難く、メカニカルシール１３の損傷を防ぐことができる。
【００２３】
尚、本発明は上述した実施の形態に限定されず、その要旨を逸脱しない範囲で種々の変形が可能である。
【００２４】
本実施の形態では、押圧部材として押圧ボルト２９を用いたが、これに限定されず、ねじ溝のないピンであっても良い。
【図面の簡単な説明】
【００２５】
【図１】固定治具を用いたメカニカルシールの固定方法を示す斜視図である。
【図２】図１に示すメカニカルシールの固定方法であって、メカニカルシールをねじで押し込んでいる状態を示す横断面図である。
【図３】図１に示すメカニカルシールの固定方法であって、メカニカルシールを係止部材で固定した状態を示す横断面図である。
【図４】図５に示すポンプの正面図である。
【図５】本実施の形態に係るポンプの全体を示す縦断面図である。
【符号の説明】
【００２６】
１      サンプリングポンプ（ポンプ）
３      ケーシング
５      蓋カバー
７      シャフト
１３    メカニカルシール
１５    ばね
１７    ストッパ（係止部材）
２１    固定治具
２３    治具本体
２５    固定ボルト（ボルト）
２７    ボルト挿通孔
２９    押圧ボルト（押圧部材）
３１    ねじ穴（ガイド部）
【図１】
2005256929.tif 000003
【図２】
2005256929.tif 000004
【図３】
2005256929.tif 000005
【図４】
2005256929.tif 000006
【図５】
2005256929.tif 000007